(57)【要約】【課題】テレビコンセントにおいて、同軸ケーブルを曲げた状態で入力端子に接続し易く、また、同軸ケーブルが曲げにくかったり、同軸ケーブルの端子の長さが長かったりしたときにも、同軸ケーブルを上向きに入力端子に接続することが可能となるようにする。【解決手段】筐体１０の前面の上部には、第１のテレビ端子２ａが設けられている。筐体１０内部には、入力端子２ｃと接続される２分配回路基板５が、第１のテレビ端子２ａが設けられた部位から後方に向かって上方に傾斜するように収納されている。筐体１０の２分配回路基板５が配されている部位は後方に出っ張った形状とされており、その部位の下面から下方に向けて、同軸ケーブルと接続される入力端子２ｃが設けられている。２分配回路基板５が水平に配されるときよりも、入力端子２ｃを上方に配置することができ、容易に同軸ケーブルを曲げて接続した状態とすることができる。【選択図】図１
2007012474.tif 000002
【特許請求の範囲】
【請求項１】
筐体前面からそれぞれ露出されるように、筐体の一方に設けられた第１のテレビ端子及び筐体の他方に設けられた第２のテレビ端子と、
筐体外部に露出されるように、筐体の一方の後方に出っ張った部位の一面から他方へ立設され、同軸ケーブルと接続される入力端子とが筐体に形成され、さらに、筐体の前記出っ張った部位を、その他方側の面が前記一方に寄るように薄く形成し、
筐体の一方の内部に、前記第１のテレビ端子が設けられた部位から後方に向かって前記出っ張った部位の薄型化に伴って一方に傾斜するように収納され、前記入力端子に接続されて前記同軸ケーブルを経由して送られる信号を２分配する２分配回路を有する２分配回路基板と、
前記２分配回路と第１のテレビ端子及び第２のテレビ端子とを前記信号を伝送可能に接続する導電パターンである２つの経路と、これらの経路それぞれに挿入可能なフィルタとを有し、筐体内部の前記２分配回路基板よりも他方に筐体の前面と略平行に収納されたフィルタ回路基板と、
前記筐体前面の前記第２のテレビ端子の近傍に外部から操作可能に設けられ、前記第１のテレビ端子に接続される経路に接続され、前記フィルタを前記経路に挿入するかどうかによって双方向通信と片方向通信とに切り替えるための第１の切り替えスイッチと、
前記筐体前面の前記第２のテレビ端子の近傍に外部から操作可能に設けられ、第２のテレビ端子に接続される経路に接続され、前記フィルタを前記経路に挿入するかどうかによって双方向通信と片方向通信とに切り替えるための第２の切り替えスイッチとを備えたことを特徴とするテレビコンセント。
【請求項２】
前記筐体は、前記第１のテレビ端子が設けられた部位と前記第１の切り替えスイッチ及び第２の切り替えスイッチが設けられた部位との間の部位が、幅方向の寸法が狭くなるように成形されていることを特徴とする請求項１に記載のテレビコンセント。
【発明の詳細な説明】
【技術分野】
【０００１】
本発明は、双方向ＣＡＴＶ用配線系等の信号伝送システムの末端において、そのシステムと、テレビ受像機やチューナ等の受信機器又はケーブルモデム等の情報端末とを接続するテレビコンセントに関するものである。
【背景技術】
【０００２】
一般に、双方向ＣＡＴＶの信号伝送システムにおいては、ＣＡＴＶ局から加入者に向けての下り方向に対応する信号とその反対方向の上り方向に対応する信号とを周波数帯域で分けることにより、一本の同軸ケーブルで双方向通信が行われている。この上り方向の信号に加入者側からノイズ等が混入すると、通信の性能が低下するなどの影響を生じる。このため、下り方向のみの片方向通信のみを行うときには、信号伝送システムの末端となる端子を備えたテレビコンセントとして、上り方向に対応する周波数帯域の信号をカットするフィルタを備えたものが用いられている。
【０００３】
このようなテレビコンセントの中には、フィルタを適用するかどうかをスイッチにより選択して、双方向通信を行うか片方向通信を行うかを選択可能としたものが知られている。双方向／片方向を選択可能なテレビコンセントとしては、例えば特許文献１に示されるように、２つのテレビ端子を有し、これらのテレビ端子についてそれぞれ双方向通信用か片方向通信用かを切り替える２つの切り替えスイッチを有するものがある。
【０００４】
図４（ａ）、（ｂ）、（ｃ）は、上述の特許文献１に記載されたテレビコンセントの一例を示す。このテレビコンセント８１の筐体８１０の前面の上部及び下部には、それぞれ第１のテレビ端子８２ａ及び第２のテレビ端子８２ｂが設けられている。筐体８１０の上部は、後述するように開口部が設けられた部位の背面から後方に出っ張った形状となっている。この後方に出っ張った部位の下面には、入力端子８２ｃが下向きに露出されるように立設されている。筐体８１０の前面の、第２のテレビ端子８２ｂの近傍には、筐体８１０に設けられている操作孔８３を通して外部から操作可能となるように、２つの切り替えスイッチ（以下、スイッチと称する）８４が設けられている。これらの２つのスイッチ８４は、図４（ａ）に示すように、互いに略水平に並んで設けられている。筐体８１０の内部には、後述するように２分配回路基板８５とフィルタ回路基板８６が配される。筐体８１０及びフィルタ回路基板８６の第１のテレビ端子８２ａと操作孔８３との間の部位は、幅方向の寸法が狭くなるように形成されている。入力端子８２ｃは、この筐体８１０の幅方向の寸法が狭くなることにより発生した空間８１０ｅの後方に設けられている。
【０００５】
２分配回路基板８５は、筐体８１０の後方に出っ張った部位の内部に略水平に収納されている。この２分配回路基板８５は、入力端子８２ｃと接続されており、入力端子８２ｃから入力された信号を２分配する２分配回路（図示せず）を有している。なお、このテレビコンセント８１は、筐体８１０が、２分配回路基板８５を第１のテレビ端子８２ａが設けられた部位の後方に収納するように構成されている。この２分配回路基板８５の２分配回路は、後述するようにフィルタ回路基板８６上の経路８７ａ，８７ｂに接続されるものであるが、２分配回路基板８５上でこの２分配回路の配置を変更すること等により、第１のテレビ端子８２ａに直接接続することも可能とされている。
【０００６】
図５は、フィルタ回路基板８６を示す。筐体８１０の背面の後方に出っ張った部位の下方には開口部が設けられており、フィルタ回路基板８６は、この開口部から筐体８１０の内部に配される。筐体８１０の開口部は、フィルタ回路基板８６が筐体８１０の内部に配された状態で、封止板８１１ｂが圧入されて封止される。このフィルタ回路基板８６は、上述の２分配回路と第１のテレビ端子８２ａ及び第２のテレビ端子８２ｂとをそれぞれ接続する導電パターンである２つの経路８７ａ，８７ｂと、これら２つの経路８７ａ，８７ｂの間にそれぞれ接続されるフィルタ８８と、スイッチ８４と接続され、経路８７ａ，８７ｂの途中にそれぞれ配されるスイッチ接続部８４１とを搭載している。スイッチ８４が切り替わると、このフィルタ８８が経路８７ａ，８７ｂに挿入されるかどうかが切り替わることによって双方向通信と片方向通信とが切り替わる。
【０００７】
このテレビコンセント８１は、図６（ａ）、（ｂ）に示すように、筐体８１０の前面がカバー８２０により覆われて、室内等にカバー８２０と第１のテレビ端子８２ａ及び第２のテレビ端子８２ｂとが露出するように、壁面８９０に配置されて用いられる。テレビコンセント８１の後方には、アウトレットボックス８８０が設けられている。テレビコンセント８１は、壁面８９０の背面側からアウトレットボックス８８０内に配された同軸ケーブル８６０の端部の端子８６１が入力端子８２ｃに接続された状態で壁面８９０に配される。このとき、一般的には、図６（ｂ）に示すように、同軸ケーブル８６０がアウトレットボックス８８０の内部で略Ｕ字状に曲げられ、筐体８１０から下向きに突出した入力端子８２ｃに対して端子８６１が上向きに接続されている。これは、同軸ケーブル８６０に結露等が発生しても、その水滴がテレビコンセント８１に落下して内部に浸入しないようにして、テレビコンセント８１の動作不良や故障が発生しないようにするためである。
【０００８】
しかしながら、アウトレットボックス８８０内部の空間は限られており、同軸ケーブル８６０を曲げて入力端子８２ｃに接続した状態とすることが困難となる場合がある。同軸ケーブル８６０を入力端子８２ｃに容易に接続できるようにするには、入力端子８２ｃがより上方となるように構成すればよいが、入力端子８２ｃを上方に配置するためには、第１のテレビ端子８２ａ及び２分配回路基板８５をそれぞれ、より上方に配置することが必要である。しかしながら、第１のテレビ端子８２ａを設けることができる位置をより上方に配置するには限界がある。
【０００９】
ところで、近年、廃棄後の環境への影響を低減するために、例えばポリエチレン等のノンハロゲン樹脂を絶縁材として用いた同軸ケーブルが実用化されている。このようなノンハロゲン樹脂は従来のものに比べて硬く、これを絶縁材として用いた同軸ケーブルは曲げにくいものである。また、同軸ケーブル８６０の端子８６１として、長さが長いものが用いられる場合がある。
【００１０】
同軸ケーブル８６０として上述のように曲げにくいものが用いられたり、端子８６１の長さが長いものが用いられたりすると、上述のように、限られた空間内で同軸ケーブル８６０を曲げて入力端子８２ｃに接続した状態とすることが困難となる場合がある他に、同軸ケーブル８６０を曲げた状態で取り付け不可能となる場合がある。同軸ケーブル８６０を曲げた状態で取り付け不可であるときには、テレビコンセント８１の上下方向の向きを通常とは逆にして壁面８９０に取り付けることを余儀なくされてしまい、上述のように動作不良や故障が発生してしまう原因となる場合がある。
【特許文献１】特開２００２−１７１１８０号公報
【発明の開示】
【発明が解決しようとする課題】
【００１１】
本発明は、上記問題点を鑑みてなされたものであり、同軸ケーブルが上向きに接続される入力端子の位置を、筐体のより上方に設けることができ、同軸ケーブルを曲げた状態で入力端子に接続し易く、また、同軸ケーブルが曲げにくかったり、同軸ケーブルの端子の長さが長かったりしたときにも、同軸ケーブルを上向きに入力端子に接続することが可能なテレビコンセントを提供することを目的とする。
【課題を解決するための手段】
【００１２】
上記目的を達成するため請求項１の発明は、筐体前面からそれぞれ露出されるように、筐体の一方に設けられた第１のテレビ端子及び筐体の他方に設けられた第２のテレビ端子と、筐体外部に露出されるように、筐体の一方の後方に出っ張った部位の一面から他方へ立設され、同軸ケーブルと接続される入力端子とが筐体に形成され、さらに、筐体の前記出っ張った部位を、その他方側の面が前記一方に寄るように薄く形成し、筐体の一方の内部に、前記第１のテレビ端子が設けられた部位から後方に向かって前記出っ張った部位の薄型化に伴って一方に傾斜するように収納され、前記入力端子に接続されて前記同軸ケーブルを経由して送られる信号を２分配する２分配回路を有する２分配回路基板と、前記２分配回路と第１のテレビ端子及び第２のテレビ端子とを前記信号を伝送可能に接続する導電パターンである２つの経路と、これらの経路それぞれに挿入可能なフィルタとを有し、筐体内部の前記２分配回路基板よりも他方に筐体の前面と略平行に収納されたフィルタ回路基板と、前記筐体前面の前記第２のテレビ端子の近傍に外部から操作可能に設けられ、前記第１のテレビ端子に接続される経路に接続され、前記フィルタを前記経路に挿入するかどうかによって双方向通信と片方向通信とに切り替えるための第１の切り替えスイッチと、前記筐体前面の前記第２のテレビ端子の近傍に外部から操作可能に設けられ、第２のテレビ端子に接続される経路に接続され、前記フィルタを前記経路に挿入するかどうかによって双方向通信と片方向通信とに切り替えるための第２の切り替えスイッチとを備えたものである。
【００１３】
請求項２の発明は、請求項１の発明において、前記筐体は、前記第１のテレビ端子が設けられた部位と前記第１の切り替えスイッチ及び第２の切り替えスイッチが設けられた部位との間の部位が、幅方向の寸法が狭くなるように成形されているものである。
【発明の効果】
【００１４】
請求項１の発明によれば、２分配回路基板が、第１のテレビ端子が設けられた部位から後方に向かって一方に傾斜するように収納されているので、入力端子を従来のものよりも筐体の一方に配置することができる。これにより、同軸ケーブルを曲げた状態で入力端子に接続し易くなる。また、同軸ケーブルが曲げにくかったり、同軸ケーブルの端子の長さが長かったりしたときにも、同軸ケーブルを上向きに入力端子に接続することが可能となり、テレビコンセントを上下逆方向に取り付ける必要がなく、同軸ケーブルから水滴が落下しテレビコンセントに動作不良や故障が発生することを防ぐことが可能となる。
【００１５】
請求項２の発明によれば、筐体の第１のテレビ端子が設けられた部位と第１の切り替えスイッチ及び第２の切り替えスイッチが設けられた部位との間の部位が幅方向の寸法が狭くなるように成形されているので、入力端子の周囲の空間がより広くなる。これにより、上述のように同軸ケーブルを曲げた状態で入力端子に接続し易くなるとともに、入力端子に同軸ケーブルを接続する作業を容易に行うことが可能となる。
【発明を実施するための最良の形態】
【００１６】
以下、本発明の第１の実施形態について図面を参照して説明する。図１（ａ）、（ｂ）、及び図２は、本実施形態に係るテレビコンセントを示す。このテレビコンセント１の筐体１０の上部（一方）及び下部（他方）には、筐体１０の前面から露出されるように、それぞれ第１のテレビ端子２ａ及び第２のテレビ端子２ｂが設けられている。筐体１０の背面側には、筐体１０の外部に露出するように、同軸ケーブル（図示せず）に接続される入力端子２ｃが設けられている。第１のテレビ端子２ａ、第２のテレビ端子２ｂ、及び入力端子２ｃは、例えばＦ型コネクタの端子であり、入力端子２ｃには、同軸ケーブル端部の端子がねじ込まれることによって同軸ケーブルが接続される。筐体１０の前面の第２のテレビ端子２ｂの近傍には、２つの操作孔３ａ，３ｂが設けられている。この操作孔３ａ，３ｂを通して筐体１０の外部から操作可能となるように、筐体１０の内部に、第１の切り替えスイッチ（以下、第１のスイッチと称する）４ａ、第２の切り替えスイッチ（以下、第２のスイッチと称する）４ｂがそれぞれ設けられている。筐体１０の上部の内部には、入力端子２ｃと接続され、同軸ケーブルを経由して送られる信号を２分配する２分配回路を有する２分配回路基板５が収納されている。筐体１０の２分配回路基板５よりも下方（他方）には、２分配された信号を第１のテレビ端子２ａ及び第２のテレビ端子２ｂに伝送するフィルタ回路基板６が、筐体１０の前面と略平行に収納されている。このテレビコンセント１は、入力端子２ｃに同軸ケーブルが接続された状態で、例えば室内の壁面等に取り付けられて用いられる。このとき、同軸ケーブルは、壁面内等に埋め込まれているアウトレットボックス（図示せず）の内部で略Ｕ字状に曲げられ、筐体１０から下向きに突出した入力端子２ｃに対して同軸ケーブルの端部の端子が上向きに接続された状態となる。
【００１７】
筐体１０は、例えばダイキャスト等、金属により成形される。図１（ｂ）に示すように、筐体１０の上部の２分配回路基板５が収納されている部位はフィルタ回路基板６が設けられている部位の背面から後方に出っ張った形状とされている。図２に示すように、入力端子２ｃは、この筐体１０の上部の後方に出っ張った部位の下面１０ｃから下方向に突出するように、筐体１０の側面の近傍に設けられている。また、筐体１０の上面と、フィルタ回路基板６が設けられている部位の背面とは、それぞれ外部に解放された開口部１０ａ，１０ｂとなっている。開口部１０ａ，１０ｂは、それぞれ封止板１１ａ，１１ｂによって覆われている。
【００１８】
また、本実施形態において、図１（ａ）に示すように、筐体１０の第１のテレビ端子２ａと操作孔３ａ，３ｂとの間の部位は、幅方向の寸法が狭くなるように成形されており、その部位の左右両側は空間１０ｅとなっている。筐体１０は、この空間１０ｅが大きくなるような形状に成形されており、これにより、入力端子２ｃの周囲には広い空間が確保され、入力端子２ｃに同軸ケーブルの端子をねじ込む作業を容易に行うことができるように構成されている。
【００１９】
操作孔３ａは、図１（ａ）に示すように、操作孔３ｂよりも第１のテレビ端子２ａに近い位置に配置され、操作孔３ｂは、操作孔３ａよりも第２のテレビ端子２ｂに近い位置に配置されている。すなわち、第１のスイッチ４ａ及び第２のスイッチ４ｂは、共に第２のテレビ端子２ｂの近傍に設けられており、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されている。第１のスイッチ４ａ及び第２のスイッチ４ｂは、例えばスライド型のスイッチであり、本実施形態においては、操作孔３ａ，３ｂを通して上下方向に切り替えることができるように配されている。
【００２０】
２分配回路基板５は、図１（ｂ）に示すように、筐体１０の上部の後方に出っ張った部位の内部の空間に、前端が第１のテレビ端子２ａが設けられた部位の後方となり、そしてそこから後方に向かって上方に傾斜するようにして収納されている。２分配回路基板５は、入力端子２ｃと接続されており、２分配回路により、同軸ケーブルを経由して入力端子２ｃから入力された信号を２分配する。この２分配回路基板５の２分配回路は、後述するようにフィルタ回路基板６上の経路７ａ，７ｂに接続されるものであるが、２分配回路基板５上でこの２分配回路の配置を変更すること等により、第１のテレビ端子２ａに直接接続することも可能とされている。
【００２１】
図３（ａ）、（ｂ）は、フィルタ回路基板６を示す。フィルタ回路基板６は、筐体１０の内部形状に対応した形状とされており、上述のように、筐体１０の内部に、筐体１０の前面と平行に収納されている。このフィルタ回路基板６は、２つの経路７ａ，７ｂと、これらの経路７ａ，７ｂそれぞれに挿入可能に設けられるフィルタ８と、上述の第１のスイッチ４ａ及び第２のスイッチ４ｂにそれぞれ接続されるスイッチ接続部４１ａ，４１ｂを有している。第１のテレビ端子２ａ及び第２のテレビ端子２ｂと、２分配回路基板上の２分配回路は、このフィルタ回路基板６に接続されている。経路７ａ，７ｂは、この第１のテレビ端子２ａ及び第２のテレビ端子２ｂと、２分配回路基板５の２分配回路とを、信号を伝送可能にそれぞれ接続している。スイッチ接続部４１ａ，４１ｂは、それぞれ経路７ａ，７ｂの途中に配されており、スイッチ４ａ，４ｂが切り替わると、フィルタ８が経路７ａ，７ｂに挿入されるかどうかが切り替わるように構成されている。
【００２２】
フィルタ８は、ＣＡＴＶ用の信号のうち、加入者（ユーザ）側からＣＡＴＶ局側に向かう上り方向に対応する周波数帯域の成分を除去する帯域阻止フィルタである。フィルタ８は、経路７ａ，７ｂにそれぞれ挿入されたとき、この経路７ａ，７ｂを伝送されるＣＡＴＶ用の信号のうち、第１のテレビ端子２ａ及び第２のテレビ端子２ｂから入力端子２ｃに向かう上り方向に対応する周波数帯域の信号をカットする。このため、経路７ａ，７ｂは、入力端子２ｃから第１のテレビ端子２ａ及び第２のテレビ端子２ｂに向かう下り方向に対応する周波数帯域の信号のみを通過可能な片方向通信用の経路となる。フィルタ８が経路７ａ，７ｂに挿入されていないときには、経路７ａ，７ｂは双方向通信用の経路となる。すなわち、上述のように、第１のスイッチ４ａ又は第２のスイッチ４ｂが切り替わり、フィルタ８がそれぞれ経路７ａ，７ｂに挿入されるかどうかが切り替わると、第１のテレビ端子２ａ、第２のテレビ端子２ｂについて、双方向通信用か片方向通信用かの設定が切り替わる。なお、本実施形態においては、第１のテレビ端子２ａと第２のテレビ端子２ｂとのそれぞれについての双方向通信と片方向通信との切り替え作業は、筐体１０の外部から第１のスイッチ４ａ又は第２のスイッチ４ｂの双方向／片方向の設定を切り替えることにより行われる。この作業は、テレビコンセント１が壁面等に設置されている状態で行うことができる。
【００２３】
本実施形態においては、図１（ｂ）の寸法線で示すように、筐体１０は、上述のように２分配回路基板５が後方に向かって上方へ傾斜するように収納されていることに伴い、筐体１０の後方に出っ張った部位の厚みＤが、従来の背景技術の欄で説明したように２分配回路基板５が第１のテレビ端子２ａの後方に略水平に配されているときよりも、薄くなるような形状とされている。すなわち、図２に示すように、筐体１０の後方に出っ張った部位の下面１０ｃは、２分配回路基板５が傾斜されて収納され後端が上方に配置されている分、上方となっている。これにより、下面１０ｃから立設される入力端子２ｃも、２分配回路基板５が第１のテレビ端子２ａの後方に略水平に配されているときよりも上方に配置されている。なお、本実施形態において、２分配回路基板５の水平面に対する傾斜角度は、２分配回路基板５上の回路や回路部品等が筐体１０及び封止板１１ａに接触しない範囲でできるだけ大きくなるように構成されているが、これに限られるものではない。
【００２４】
このように、入力端子２ｃを従来のものよりも筐体１０のより上方に配置することができるので、同軸ケーブルを曲げて入力端子２ｃに接続した状態でテレビコンセント１を壁面等に配することを容易に行うことができる。また、同軸ケーブルが曲げにくかったり、同軸ケーブルの端子の長さが長かったりしたときにも、同軸ケーブルを上向きに入力端子２ｃに接続することが可能となる。これにより、テレビコンセント１を上下逆方向に取り付ける必要がなくなり、同軸ケーブルに結露等が発生したときに、同軸ケーブルから水滴が落下してテレビコンセント１に動作不良や故障が発生することを防ぐことが可能となる。
【００２５】
また、本実施形態においては、上述のように、筐体１０の第１のテレビ端子２ａが設けられた部位と第１のスイッチ４ａ及び第２のスイッチ４ｂが設けられた部位との間の部位が幅方向の寸法が狭くなるように成形されているので、入力端子２ｃの周囲の空間がより広くなる。これにより、上述のように同軸ケーブルを曲げた状態で入力端子２ｃに接続し易くなるとともに、入力端子２ｃに同軸ケーブルの端子をねじ込んで接続する作業を容易に行うことが可能となる。
【００２６】
なお、本発明は上記実施形態の構成に限定されるものではなく、発明の趣旨を変更しない範囲で適宜に種々の変形が可能である。例えば、テレビコンセント１は、筐体１０の背面側に、入力端子２ｃの他に送り配線用の出力端子が設けられているようなものであってもよい。このとき、出力端子も入力端子２ｃと同様に上方に配置されるので、上述のように、同軸ケーブルを曲げて出力端子にも接続した状態でテレビコンセント１を壁面等に配することを容易に行うことが可能となる。
【図面の簡単な説明】
【００２７】
【図１】（ａ）は本発明の第１の実施形態に係るテレビコンセントを示す正面図、（ｂ）は同テレビコンセントを示す側断面図。
【図２】同上テレビコンセントを示す斜視図。
【図３】同上テレビコンセントのフィルタ回路基板を示す平面図。
【図４】（ａ）は従来のテレビコンセントの一例を示す正面図、（ｂ）は同テレビコンセントを示す側面図、（ｃ）は同テレビコンセントを示す斜視図。
【図５】同上テレビコンセントのフィルタ回路基板を示す平面図。
【図６】（ａ）は同上テレビコンセントにカバーを配したときの正面図、（ｂ）は同テレビコンセントを壁面に設置したときを示す図。
【符号の説明】
【００２８】
１  テレビコンセント
２ａ  第１のテレビ端子
２ｂ  第２のテレビ端子
２ｃ  入力端子
４ａ  第１の切り替えスイッチ
４ｂ  第２の切り替えスイッチ
５  ２分割回路基板
６  フィルタ回路基板
７ａ，７ｂ  経路
８  フィルタ
１０  筐体
【図１】
2007012474.tif 000003
【図２】
2007012474.tif 000004
【図３】
2007012474.tif 000005
【図４】
2007012474.tif 000006
【図５】
2007012474.tif 000007
【図６】
2007012474.tif 000008